(57)【要約】【課題】通信機能の使用が禁止された場所でもデジタルカメラ機能を使用することができ、あらゆるデジタルカメラ機能の更新を行なえるカメラ付き携帯電話機を提供することを目的とする。【解決手段】画像表示モニタ１５と撮影レンズと固体撮像素子とからなるデジタルカメラ機能を組み込んだ受話器本体５と、ダイヤルボタンを含む操作パネル３０を備えた送話機本体８とをヒンジピン９で取り付けてカメラ付き携帯電話機２を構成する。【選択図】                図４
2004172767.tif 000002
【特許請求の範囲】
【請求項１】
スピーカ及び画像表示モニタを備えた受話器本体と、マイク及びダイヤルボタンを備えた送話器本体とからなり、前記受話器本体にデジタルカメラが組みこまれたカメラ付き携帯電話機において、
前記受話器本体が送話器本体から分離自在であり、受話器本体に電源電池が内蔵されるとともに前記デジタルカメラの操作部が設けられ、受話器本体だけでデジタルカメラとして使用できるようにしたことを特徴とする携帯電話機。
【請求項２】
前記受話器本体と送話器本体とがヒンジピンを軸にして折り畳み自在に連結され、前記ヒンジピンを軸方向に抜き取ることによって受話器本体と送話器本体とが分離されることを特徴とする請求項１記載の携帯電話機。
【発明の詳細な説明】
【０００１】
【発明の属する技術分野】
本発明は、デジタルカメラを内蔵した携帯電話機に関するものである。
【０００２】
【従来の技術】
携帯電話機の普及に伴い、携帯電話機には通話などの通信機能だけでなく、様々な機能が付加されてきている。中でもデジタルカメラ機能を備えたカメラ付き携帯電話機は、通話者本人の画像や周囲の状況を撮像してそのデータを送信することも可能で、その利便性も高い。
【０００３】
カメラ付き携帯電話機の中には、通信機能を備えた携帯電話本体に撮影レンズおよび固体撮像素子などを備えた着脱自在なカメラ部を取り付けることで、撮影レンズから取り込んだ被写体像を携帯電話本体の画像表示モニタに表示するようにしたものがある。（例えば、特許文献１及び特許文献２参照）
【０００４】
固体撮像素子の性能が向上した場合にカメラ部を交換することで固体撮像素子の機能更新を行うことができるものがある。（例えば、特許文献１参照）
【０００５】
また、携帯電話機本体からバッテリを取り外し、バッテリを取り外した部分に撮影レンズや、固体撮像素子、操作ボタンなどを備えたカメラ部を取り付け、前記カメラ部のバッテリ取付部にバッテリを取り付けることで、カメラ付き携帯電話機として使用されるものがあった。（例えば、特許文献３参照）
【０００６】
カメラ部を携帯電話本体から取り外し、シャッタボタンなどを備えたカメラケースに取り付けることで、携帯電話本体から外した状態でデジタルカメラ機能を使用することができるものがある。（例えば、特許文献２参照）
【０００７】
【特許文献１】
特開２００１−２４５０３４号公報
【特許文献２】
特開２００２−０７７７０１号公報
【特許文献３】
特開２００２−１６４９８９号公報
【０００８】
【発明が解決しようとする課題】
上記記載のカメラ付き携帯電話機のデジタルカメラ機能は、カメラ部のみでは使用することができず、通信機能の使用が禁止されている場所では、カメラ付き携帯電話機のデジタルカメラ機能の使用までもが禁止される。
【０００９】
特許文献２記載のようにカメラ部を携帯電話本体から取り外し、シャッタボタンやファインダなどを備えたカメラケースに取り付けて使用することで通信機能の使用を禁止された場所でもデジタルカメラ機能を使用することができるものがあるが、ユーザーは、カメラケースを持ち歩くことが煩わしいという問題があった。
【００１０】
近年、カメラ付き携帯電話機のデジタルカメラ機能は急速に向上し、固体撮像素子の機能向上だけでなく、画像表示モニタの解像度の向上などカメラ部の交換では機能更新できない機能も数多くある。
【００１１】
そこで本発明は、通信機能の使用が禁止された場所でもデジタルカメラ機能を使用することができ、また、あらゆるデジタルカメラ機能の更新を行なえるカメラ付き携帯電話機を提供することを目的とする。
【００１２】
【課題を解決するための手段】
本発明は上記目的を達成するために、本発明のカメラ付き携帯電話機を画像表示モニタと受話スピーカとを備えた受話器本体と、ダイヤルボタンと送話マイクとを備えた送話機本体とをヒンジピンで連結し、送話器本体と受話器本体とを分離自在に構成する。
【００１３】
カメラ付き携帯電話機が送話器本体と受話器本体とに分離された状態でデジタルカメラ機能を使用することができるように、受話器本体に撮影レンズ、固体撮像素子、バッテリパックなどデジタルカメラ機能に使用するのに必要な回路を組み込む。
【００１４】
【発明の実施の形態】
図１は本発明を実施したカメラ付き携帯電話機２が開いた状態を示す斜視図である。図２はカメラ付き携帯電話機２が折り畳まれた状態を示す図である。カメラ付き携帯電話機２は受話スピーカ４が備えられた受話器本体５と送話マイク７が備えられた送話器本体８とをヒンジピン９で折りたたみ自在に連結した構造となっている。ヒンジピン９には、マイナス形状をしたピン穴が設けられていて、このピン穴にマイナスドライバ等を差し込んでヒンジピン９を回転させることで、ヒンジピン９を締め付けたり、緩めたりすることができる。
【００１５】
受話器本体５の端の凹凸部５ａと、送話器本体８の端の凹凸部８ａとを咬合するように取り付け、先端部分に雄ネジ部９ａ（図４参照）を備えたヒンジピン９をヒンジ穴１０に通してマイナスドライバで回転することで、ヒンジ穴１０の内側に設けられた雌ネジ部（図示せず）と雄ネジ部９ａとによってヒンジピン９が締め付けられる。これによって、受話器本体５と送話器本体８は、凹凸部５ａ、８ａと、ヒンジピン９、ヒンジ穴１０とからなるヒンジ部１２を介して回動自在な構造になっている。
【００１６】
受話器本体５の前面には、受話スピーカ４と、画像表示モニタ１５と、カメラの撮像を行うときに画像の取り込み指示を入力するシャッタボタン１６と、カメラ用の電源ボタン１７と、カメラ用の操作ボタン１８とが設けられている。側面には、メモリカード２０を挿入するためのメモリスロット２１と、イヤホン用接続端子２２が設けられ端子２２の穴は保護カバー２３で覆われている。背面には、撮影レンズ２４と、バッテリパック２５と、時刻などを表示する画像表示モニタ２６とが設けられている。また、受話器本体５の背面端側には通信アンテナ２７が設けられている。
【００１７】
送話器本体８の前面には、送話マイク７と、通信機能などを操作するための操作パネル３０とが設けられている。
【００１８】
受話器本体５のヒンジ部１２近傍には回路接続用のパターン３１（図３参照）、送話器本体８のヒンジ部１２近傍にはパターン３１と接続するブラシ３２（図３参照）が設けられている。ブラシ３２の内側には、バネが内蔵されており、バネの力によってブラシ３２とパターン３１とが常に接続するようになっている。パターン３１とブラシ３２とが接続していることで受話器本体５と送話器本体８との電気的接続が行われ、受話器本体５または送話器本体８が可動しても電気的接続を維持することができる。
【００１９】
図３はカメラ付き携帯電話機２の電気的構成を示すブロック図である。カメラ付き携帯電話機２の電力は、バッテリパック２５から供給される。受話器本体５から送話器本体８へまたは送話器本体８から受話器本体５への電気的接続は、受話器本体５側のシステム制御部３３と、パターン３１と、ブラシ３２と、送話器本体８側のシステム制御部３４とを介して行われている。
【００２０】
デジタルカメラ機能を起動するために、電源ボタン１７を押圧すると、システム制御部３３はドライバ３６にイメージセンサ３７の駆動を指示する信号を送る。イメージセンサ３７駆動後、撮影レンズ４を通して取り込まれた被写体光は、イメージセンサ３７で撮像信号に変換される。撮像信号は、アンプ３８で適切なレベルに増幅された後、Ａ／Ｄコンバータ３９によってデジタル変換され、画像データとして画像信号処理回路４２に入力される。画像信号処理回路４２は、システム制御部３３を介して、画像データをメモリ制御部４３に送り、一時的に画像データを内蔵メモリ４５に保存する。
【００２１】
内蔵メモリ４５に一時的に保存された画像データは、メモリ制御部４３に読み出され、システム制御部３３を介して、画像信号処理回路４２に送られ、映像信号に変換される。映像信号は液晶制御回路４８に送られ、画像表示モニタ１５および画像表示モニタ２６に被写体像として表示される。操作ボタン１８を操作してズームなどの撮影条件を決め、撮影を行うためにシャッタボタン１６を押圧する。シャッタボタン１６を押圧したことで、画像表示モニタ１５に表示されている被写体像の画像データが内蔵メモリ４５またはメモリカード２０に記録される。
【００２２】
システム制御部３３は、内蔵メモリ４５またはメモリカード２０に記録された画像データを読み出すようにメモリ制御部４３に電気信号を送る。メモリ制御部４３は、内蔵メモリ４５またはメモリカード２０から読み込んだ画像データをシステム制御部３３を介して、画像信号処理回路４２に送り、画像データを映像信号に変換して液晶制御回路４８に送る。液晶制御回路４８では、画像信号処理回路４２からの映像信号をもとに、画像表示モニタ１５に画像データに基づいた画像を表示する。
【００２３】
また、本発明のカメラ付き携帯電話機は他のカメラ付き携帯電話機と画像データの送受信や通話を行うための通信機能を備えている。画像データを他の携帯電話機に送信するために操作パネルを操作すると、操作情報が受話器本体５側のシステム制御部３３に送られ、メモリ制御部４３に伝達される。メモリ制御部４３は、内蔵メモリ４５またはメモリカード２０に記録された画像データを読み出し、システム制御部３３、送受信回路５５を介して、アンテナ２７に送り、他の携帯電話機へ画像データを送信する。送信された画像データを受信する携帯電話機は、アンテナ２７を通って、送受信回路５５で画像データを受信する。受信した画像データは、システム制御部３３を介して、メモリ制御部４３に送られ、内蔵メモリ４５またはメモリカード２０に記録される。
【００２４】
また、メモリ制御部５６によって内蔵メモリ５７に記録された電話番号を読み出すか、操作パネル１８を押してダイヤルすることで、電話をかけることができ、通話ができる。送話マイク７から取り込んだ音声を送話器本体８の音声処理部５８で電気信号に変換し、その電気信号を受話器本体５のシステム制御部３３に送り、送受信回路５５を介して、アンテナ２７から他の電話機へ電気信号を送信する。また、他の電話機からの電気信号をアンテナ２７から受信したときには、受話器本体５の音声処理部５９で電気信号を音に変換し、受話スピーカ４またはイヤホン用接続端子２２に接続したイヤホンから音を聞くことができる。
【００２５】
上記のように構成された本発明のカメラ付き携帯電話機は、通信機能を起動させた状態でデジタルカメラ機能を起動することもできるが、通信機能を起動することなくデジタルカメラ機能を起動することもできる。
【００２６】
図４は、カメラ付き携帯電話機２からヒンジピン９を取り外し、受話器本体５と送話器本体８とを分離した状態を示す図である。ヒンジピン９をマイナスドライバで回転させてヒンジ穴１０から引き抜くことで、ヒンジ部１２の係合を解除することができ、カメラ付き携帯電話機２を受話器本体５と送話器本体８とに分離することができる。
【００２７】
電源ボタン１７を押圧すると、通信機能を起動させるための送話器本体５と音声処理部５９と送受信回路５５に電力が供給されることなく、デジタルカメラ機能を起動するための回路に電力が供給される。よって、通信機能を起動させることなくデジタルカメラ機能を起動することができ、通信機能の使用を禁止された場所でもデジタルカメラ機能を使用できる。
【００２８】
本発明のカメラ付き携帯電話機は、受話器本体５にデジタルカメラ機能を使用するのに必要な回路が全て内蔵されているので、受話器本体５を交換することで、あらゆるデジタルカメラ機能の更新を行なうことができる。送話器本体８に新しい受話器本体５を取り付けることで、画像表示モニタ１５の解像度の向上などのデジタルカメラ機能の更新が行なわれたカメラ付き携帯電話機になる。
【００２９】
上記実施例では、パターン３１とブラシ３２とを接続することで受話器本体５と送話器本体８との電気的接続を行なっていたが、受話器本体５または送話器本体８が可動しても電気的接続を維持することができ、着脱自在なコネクタであればよい。また、上記実施例では、カメラ付き携帯電話機２を受話器本体５と送話器本体８とに分離して、通信機能を起動することなくデジタルカメラ機能を使用できるようにしたが、受話器本体５と送話器本体８とを接続した状態で通信機能を起動させることなく、デジタルカメラ機能を使用することができるようにしてもよい。
【００３０】
【発明の効果】
以上のように本発明のカメラ付き携帯電話機は、通信機能を起動することなく、デジタルカメラ機能を使用することができるので、通信機能の使用が禁止された場所でもデジタルカメラ機能を使用することができる。
【００３１】
また、受話器本体を送話器本体から取り外して交換することができるので、カメラ付き携帯電話機のあらゆるデジタルカメラ機能の更新を行なうことができる。
【図面の簡単な説明】
【図１】本発明を実施したカメラ付き携帯電話機が開いた状態を示す斜視図である。
【図２】カメラ付き携帯電話機が折り畳まれた状態を示す図である。
【図３】本発明を実施したカメラ付き携帯電話機の電気的構成を示すブロック図である。
【図４】カメラ付き携帯電話機からヒンジピンを外し、受話器本体と送話器本体とを分離した状態を示す図である。
【符号の説明】
２  カメラ付き携帯電話機
５  受話器本体
８  送話器本体
１５  画像表示モニタ
３１  パターン
３２  ブラシ
【図１】
2004172767.tif 000003
【図２】
2004172767.tif 000004
【図３】
2004172767.tif 000005
【図４】
2004172767.tif 000006